(57)【要約】【課題】温度上昇を適切に検知できる蓄電装置を提供する。【解決手段】蓄電装置１０は、電極組立体１２が収容されたケース１１と、互いに異なる極性を有し、ケース１１における蓋部１１ｂの外面側に設けられた第１及び第２の電極端子２１，３１と、ケース内において第１及び第２の電極端子２１，３１の一方と電極組立体１２との間の通電経路Ｐ上に設けられた通電板４３を有し、ケース１１の内圧が所定レベルを超えて上昇した際に通電板４３が破断することで通電経路Ｐを遮断する電流遮断装置８と、ケース１１における蓋部１１ｂの外面側において、第１及び第２の電極端子２１，３１の他方よりも第１及び第２の電極端子２１，３１の一方寄りに配置された温度検出素子７０と、を備える。【選択図】図２
2018010832.tif 000002
【特許請求の範囲】
【請求項１】
電極組立体が収容されたケースと、
互いに異なる極性を有し、前記ケースにおける一面の外面側に設けられた第１及び第２の電極端子と、
前記ケース内において前記第１及び第２の電極端子の一方と前記電極組立体との間の通電経路上に設けられた通電板を有し、前記ケースの内圧が所定レベルを超えて上昇した際に前記通電板が破断することで前記通電経路を遮断する電流遮断装置と、
前記ケースにおける前記一面の外面側において、前記第１及び第２の電極端子の他方よりも前記第１及び第２の電極端子の一方寄りに配置された温度検出素子と、を備える蓄電装置。
【請求項２】
前記ケース内において、前記電極組立体を構成する複数の電極板の集電部が導電部材を介して前記第１及び第２の電極端子の一方と電気的に接続され、
前記温度検出素子は、前記一面を挟んで前記集電部と前記導電部材との接続部分と対向するように配置されている、請求項１に記載の蓄電装置。
【請求項３】
前記ケース内において、前記電極組立体を構成する複数の電極板の集電部が導電部材を介して前記第１及び第２の電極端子の一方と電気的に接続され、
前記温度検出素子は、前記一面を挟んで前記導電部材と対向するように配置されている、請求項１又は２に記載の蓄電装置。
【請求項４】
前記ケースを保持するホルダを更に備え、
前記ホルダは、
前記第１及び第２の電極端子をそれぞれ保持する一対の端子保持部と、
複数の前記ホルダの拘束に用いられる拘束ボルトが挿通される挿通部と、
前記温度検出素子を保持する素子保持部と、を有し、
前記第１及び第２の電極端子の一方が保持される前記端子保持部と前記素子保持部との間に前記挿通部が配置されている、請求項１〜３のいずれか一項に記載の蓄電装置。
【請求項５】
前記ケースを保持するホルダを更に備え、
前記ホルダは、
前記第１及び第２の電極端子をそれぞれ保持する一対の端子保持部と、
複数の前記ホルダの拘束に用いられる拘束ボルトが挿通される挿通部と、
前記温度検出素子を保持する素子保持部と、を有し、
前記素子保持部、前記第１及び第２の電極端子の一方が保持される前記端子保持部、前記挿通部が、この順に配置されている、請求項１〜３のいずれか一項に記載の蓄電装置。
【請求項６】
前記ケースを保持するホルダを更に備え、
前記ホルダは、
前記第１及び第２の電極端子をそれぞれ保持する一対の端子保持部と、
複数の前記ホルダの拘束に用いられる拘束ボルトが挿通される挿通部と、
前記温度検出素子を保持する素子保持部と、を有し、
前記挿通部、前記素子保持部、前記第１及び第２の電極端子の一方が保持される前記端子保持部が、この順に配置されている、請求項１〜３のいずれか一項に記載の蓄電装置。
【発明の詳細な説明】
【技術分野】
【０００１】
本発明は、蓄電装置に関する。
【背景技術】
【０００２】
従来、蓄電装置として、リチウムイオン電池等の二次電池等が知られている。このような蓄電装置には、過充電や過放電の防止を目的として、装置の温度を検出する温度センサが取り付けられている。例えば、特許文献１に記載された蓄電装置では、温度検出素子がケース表面に取り付けられており、当該温度検出素子が検出した温度に基づいて、蓄電装置の温度の過度な上昇の有無が監視されている。
【先行技術文献】
【特許文献】
【０００３】
【特許文献１】特開２００９−１７６６０１号公報
【発明の概要】
【発明が解決しようとする課題】
【０００４】
しかしながら、蓄電装置の使用時には、例えば、ケース内に収容された電極組立体の構成や、ケース表面に設けられた電極端子の配置等に起因して、ケース表面の温度が不均一になることが考えられる。このため、温度検出素子の取り付け位置によっては、蓄電装置の温度上昇を適切に検知できなくなり、過充電や過放電の検知タイミングが遅延してしまうおそれがある。
【０００５】
そこで、本発明は、温度上昇を適切に検知できる蓄電装置を提供することを目的とする。
【課題を解決するための手段】
【０００６】
本発明の一側面に係る蓄電装置は、電極組立体が収容されたケースと、互いに異なる極性を有し、ケースにおける一面の外面側に設けられた第１及び第２の電極端子と、ケース内において第１及び第２の電極端子の一方と電極組立体との間の通電経路上に設けられた通電板を有し、ケースの内圧が所定レベルを超えて上昇した際に通電板が破断することで通電経路を遮断する電流遮断装置と、ケースにおける一面の外面側において、第１及び第２の電極端子の他方よりも第１及び第２の電極端子の一方寄りに配置された温度検出素子と、を備える。
【０００７】
この蓄電装置では、ケースの内圧が所定レベルを超えて上昇した際に破断する通電板を有する電流遮断装置が備えられている。通電板を破断させるタイプの電流遮断装置では、ケース内圧の上昇時の破断容易性を確保するため、通電板に破断溝が設けられる場合や、通電板の破断予定部分が薄化されている場合がある。そのため、通電板の電気抵抗は、他の導電部分と比して高くなり、蓄電装置においては、電流遮断装置が配置されている方の電極端子の近傍では、電流遮断装置が配置されていない方の電極端子の近傍に比べて温度が上昇し易い、という傾向がある。この蓄電装置では、ケースにおける一面の外面側において、電流遮断装置が配置されていない電極端子よりも、電流遮断装置が配置されている電極端子に寄せて温度検出素子が配置されている。このように、温度が上昇し易い位置に温度検出素子が配置することで、温度上昇を適切に検知することが可能となる。
【０００８】
また、ケース内において、電極組立体を構成する複数の電極板の集電部が導電部材を介して第１及び第２の電極端子の一方と電気的に接続され、温度検出素子は、一面を挟んで集電部と導電部材との接続部分と対向するように配置されていてもよい。電極板の集電部と導電部材との接続部分においては、電気抵抗が高くなり、温度が上昇し易い傾向がある。したがって、一面を挟んで接続部分と対向するように温度検出素子を配置することで、温度上昇を一層適切に検知することが可能となる。
【０００９】
また、ケース内において、電極組立体を構成する複数の電極板の集電部が導電部材を介して第１及び第２の電極端子の一方と電気的に接続され、温度検出素子は、一面を挟んで導電部材と対向するように配置されていてもよい。上述したように、電流遮断装置が配置されている電極端子の近傍、及び電極板の集電部と導電部材との接続部分においては、温度が上昇し易い傾向がある。そのため、当該電極端子と集電部とに接続された導電部材においても、温度が上昇し易くなる。したがって、一面を挟んで導電部材と対向するように温度検出素子を配置することで、温度上昇をより一層適切に検知することが可能となる。
【００１０】
また、ケースを保持するホルダを更に備え、ホルダは、第１及び第２の電極端子をそれぞれ保持する一対の端子保持部と、複数のホルダの拘束に用いられる拘束ボルトが挿通される挿通部と、温度検出素子を保持する素子保持部と、を有し、第１及び第２の電極端子の一方が保持される端子保持部と素子保持部との間に挿通部が配置されていてもよい。この場合、電流遮断装置が配置されている電極端子に寄せて温度検出素子を配置しつつ、当該電極端子からケース外部の空気を介して温度検出素子に伝わる熱を挿通部によって遮ることができ、温度上昇をより一層適切に検知することが可能となる。
【００１１】
また、ケースを保持するホルダを更に備え、ホルダは、第１及び第２の電極端子をそれぞれ保持する一対の端子保持部と、複数のホルダの拘束に用いられる拘束ボルトが挿通される挿通部と、温度検出素子を保持する素子保持部と、を有し、素子保持部、第１及び第２の電極端子の一方が保持される端子保持部、挿通部が、この順に配置されていてもよい。この場合、電流遮断装置が配置されている電極端子に寄せて温度検出素子を配置でき、温度上昇をより一層適切に検知することが可能となる。
【００１２】
また、ケースを保持するホルダを更に備え、ホルダは、第１及び第２の電極端子をそれぞれ保持する一対の端子保持部と、複数のホルダの拘束に用いられる拘束ボルトが挿通される挿通部と、温度検出素子を保持する素子保持部と、を有し、挿通部、前記素子保持部、前記第１及び第２の電極端子の一方が保持される前記端子保持部が、この順に配置されていてもよい。この場合、電流遮断装置が配置されている電極端子に寄せて温度検出素子を配置でき、温度上昇をより一層適切に検知することが可能となる。
【発明の効果】
【００１３】
本発明によれば、温度上昇を適切に検知することが可能となる。
【図面の簡単な説明】
【００１４】
【図１】本発明の一実施形態に係る蓄電モジュールの斜視図である。
【図２】図１に示した蓄電モジュールを構成する蓄電装置の断面図である。
【図３】通常時の電流遮断装置の近傍を示す断面図である。
【図４】作動時の電流遮断装置の近傍を示す断面図である。
【図５】蓄電モジュールの第１変形例を示す断面図である。
【図６】蓄電モジュールの第２変形例を示す断面図である。
【発明を実施するための形態】
【００１５】
以下、本発明の一実施形態について、図面を参照しつつ詳細に説明する。なお、以下の説明において、同一又は相当要素には同一符号を用い、重複する説明を省略する。
【００１６】
図１に示される蓄電モジュール１は、例えば、フォークリフト等の車両のバッテリーとして用いられる。蓄電モジュール１は、複数（この例では、７つ）の蓄電装置１０が配列されてなる配列体２と、配列体２に対して配列方向に拘束荷重を付加する拘束部材３と、を備えている。
【００１７】
配列体２において、各蓄電装置１０は、ホルダ６１によって保持された状態で配列されている。ホルダ６１の構成については後述する。複数の蓄電装置１０は、極性の異なる電極端子同士が配列方向に隣り合うように配列されており、バスバ７によって電気的に直列に接続されている。
【００１８】
拘束部材３は、例えば、配列体２に対して配列方向の両端にそれぞれ配置された一対のエンドプレート４，４と、エンドプレート４，４同士を締結する拘束ボルト５と、拘束ボルト５の両端に螺合されるナット６と、を有している。拘束ボルト５は、この例では４本設けられており、各拘束ボルト５は、エンドプレート４，４及び各ホルダ６１に挿通されている。拘束ボルト５へのナット６の螺合によってエンドプレート４，４同士が締結され、配列体２に拘束荷重が加えられている。
【００１９】
蓄電モジュール１を構成する蓄電装置１０は、例えばリチウムイオン電池等の二次電池である。図２に示されるように、蓄電装置１０は、電極組立体１２が収容されたケース１１と、正極端子（第１の電極端子）２１と、負極端子（第２の電極端子）３１と、電流遮断装置８と、を備えている。
【００２０】
ケース１１は、電極組立体１２を収容する本体部１１ａと、本体部１１ａの開口を閉塞する蓋部（一面）１１ｂと、を有している。本体部１１ａは矩形箱状をなし、蓋部１１ｂは矩形平板状をなしている。ケース１１は、例えば、ステンレスやアルミニウム等の金属からなる。ケース１１の内面側には、ケース１１と電極組立体１２との間を絶縁する絶縁シート１３が設けられている。蓋部１１ｂの外面側には、正極端子２１及び負極端子３１が互いに離間して設けられている。正極端子２１は、蓋部１１ｂの幅方向Ｄの一方側に配置され、負極端子３１は、幅方向Ｄの他方側に配置されている。
【００２１】
電極組立体１２は、正極（電極板）及び負極（電極板）がセパレータを介して交互に積層された積層型の電極組立体である。セパレータは、例えば微多孔膜であり、セパレータには電解液が含浸されている。セパレータは、例えば袋状に形成されて正極を収容していてもよいし、或いはシート状に形成されていてもよい。例えば、セパレータ付き正極として、正極の両面に２枚のシート状のセパレータが各々接合され、ユニット化された正極が用いられてもよい。
【００２２】
正極は、例えばアルミニウム箔からなる金属箔と、金属箔の両面に形成された正極活物質層と、を有している。正極活物質層は、正極活物質とバインダとを含んで形成されている。正極活物質の例としては、例えば、複合酸化物、金属リチウム及び硫黄等が挙げられる。複合酸化物の例にとしては、例えば、マンガン、ニッケル、コバルト及びアルミニウムの少なくとも１つと、リチウムと、が挙げられる。
【００２３】
正極の上縁部（蓋部１１ｂ側の縁部）において、正極端子２１よりも幅方向Ｄの内側の位置には、正極集電部２２が形成されている。各正極の正極集電部２２は、例えば電極組立体１２における積層方向の一方側で集約され、正極導電部材２３を介して正極端子２１に電気的に接続されている。正極集電部２２と正極導電部材２３、及び、正極導電部材２３と正極端子２１とは、例えば溶接によって接合されている。
【００２４】
一方、負極は、例えば銅箔からなる金属箔と、金属箔の両面に形成された負極活物質層と、を有している。負極活物質層は、負極活物質とバインダとを含んで形成されている。負極活物質の例としては、例えば、黒鉛、高配向性グラファイト、メソカーボンマイクロビーズ、ハードカーボン及びソフトカーボン等のカーボン、リチウム及びナトリウム等のアルカリ金属、金属化合物、ＳｉＯｘ（０．５≦ｘ≦１．５）等の金属酸化物、並びにホウ素添加炭素等が挙げられる。
【００２５】
負極の上縁部（蓋部１１ｂ側の縁部）において、負極端子３１よりも幅方向Ｄの内側の位置には、負極集電部３２が形成されている。各負極の負極集電部３２は、電極組立体１２における積層方向の一方側で集約され、負極導電部材３３を介して負極端子３１に電気的に接続されている。負極端子３１の下部には、電流遮断装置８が設けられている。電流遮断装置８は、負極端子３１と負極導電部材３３との間に設けられ、負極端子３１と負極導電部材３３とを電気的に直列に接続している。負極集電部３２と負極導電部材３３、及び、負極導電部材３３と電流遮断装置８とは、例えば溶接によって接合されている。
【００２６】
続いて、図３及び図４を参照しつつ、電流遮断装置８について説明する。電流遮断装置８は、負極端子３１と負極導電部材３３との間を接続する通電経路Ｐを有している。電流遮断装置８は、ケース１１の内圧が所定レベルを超えて上昇した際に、通電経路Ｐを遮断することによって、負極端子３１と負極導電部材３３との間に流れる電流を遮断する。ここで、「所定レベルの圧力」とは、蓄電装置１０が過充電状態等の異常状態になったときのケース１１の内圧を意味する。電流遮断装置８は、第１変形板４１と、第２変形板４２と、通電板４３と、端子部４４と、を有している。
【００２７】
第１変形板４１及び第２変形板４２は、例えば金属製のダイアフラムであり、通常時に中央部が下向き（電極組立体１２側）に突出するように設けられている。第１変形板４１の上面の中央部には、絶縁性を有する突起４５が設けられている。通電板４３は、第１変形板４１と第２変形板４２との間に配置されている。
【００２８】
通電板４３と第１変形板４１とは互いの外縁部において接触しており、通電板４３と第２変形板４２とは通常時には互いの中央部において接触している。第２変形板４２の外縁部と通電板４３との間は、環状の絶縁部材４６によって絶縁されている。通電板４３は、外縁部において負極導電部材３３に電気的に接続されている。通電板４３の中央部には、ケース１１の内圧が所定レベルを超えて上昇した際に確実に破断するように、破断溝４３ａが設けられている。
【００２９】
端子部４４は、蓋部１１ｂに形成された開口１１ｃを貫通するように配置され、ケース１１内において第２変形板４２に電気的に接続されている。端子部４４は、略円板状の板部４７と、板部４７の中央部から上側に延在する筒部４８と、筒部４８の外周面に螺合されるナット部４９と、筒部４８の上面にバスバ７を締結するための締結部５０と、有し、負極端子３１を構成している。板部４７と筒部４８とは一体に形成されている。蓋部１１ｂは、板部４７とナット部４９との間で挟まれている。板部４７と第２変形板４２との間は、環状の絶縁部材５１によって絶縁されている。開口１１ｃ（蓋部１１ｂ）と端子部４４との間は、環状の絶縁部材５２，５３，５４によって絶縁されると共に、気密にシールされている。
【００３０】
例えば蓄電装置１０が過充電状態となってケース１１内でガスが発生し、ケース１１の内圧が所定レベルを超えて上昇した場合、電流遮断装置８が作動する。この作動時には、ケース１１の内圧によって第１変形板４１が上方に変形する。第１変形板４１が上方に変形すると、突起４５が通電板４３の中央部に当接し、通電板４３が破断溝４３ａを起点として破断し、通電板４３の一部が分離される。そして、通電板４３から分離した一部が突起４５によって第２変形板４２の中央部に当接させられ、第２変形板４２の中央部が上方に変形する。その結果、作動時には通電板４３と第２変形板４２とが非接触になり、通電経路Ｐが不可逆的に遮断される。
【００３１】
続いて、図１及び図２を参照しつつ、ホルダ６１の構成について説明する。ホルダ６１は、例えばポリプロピレン等の樹脂材料により形成され、枠体６２と、一対の端子保持部６３，６３と、挿通部６４と、素子保持部６５と、を有している。
【００３２】
枠体６２は、底板６６と、一対の側板６７，６７と、仕切板６８と、を有している。一対の側板６７，６７は、互いに対向するように底板６６の幅方向Ｄの縁部に立設されている。仕切板６８は、配列方向の一方側（紙面奥側）において、ケース１１の高さに応じた位置で側板６７，６７同士を連結している。ケース１１がホルダ６１によって保持された状態では、枠体６２内にケース１１が嵌め込まれ、ケース１１の底面が底板６６に、幅方向Ｄの両側面が側板６７，６７に、配列方向の一方側の側面が仕切板６８に、それぞれ接触している。
【００３３】
端子保持部６３，６３は、蓄電装置１０の正極端子２１及び負極端子３１をそれぞれ保持する部分である。端子保持部６３，６３は、仕切板６８上において、正極端子２１及び負極端子３１それぞれに対応する位置に設けられている。端子保持部６３，６３は、枠体６２にケース１１が嵌め込まれた状態において、正極端子２１及び負極端子３１をそれぞれ包囲する。
【００３４】
挿通部６４は、拘束部材３の拘束ボルト５が挿通される部分であり、この例では４つ設けられている。各挿通部６４は、拘束ボルト５が挿通される挿通孔６４ａを有している。４つの挿通部６４は、底板６６及び仕切板６８のそれぞれに２つずつ設けられている。仕切板６８側の挿通部６４は、仕切板６８上において、端子保持部６３の内側に隣接して設けられている。底板６６側の挿通部６４は、底板６６の幅方向Ｄの端部において、底板６６の底面側に設けられている。
【００３５】
素子保持部６５は、温度検出素子７０を保持する部分である。温度検出素子７０は、蓄電装置１０の過充電や過放電の防止を目的として設けられるものであり、蓄電装置１０の温度の過度な上昇の有無を監視するために用いられる。温度検出素子７０は、例えばサーミスタであり、検出対象との接触位置において温度を検出し、配線を介して外部の制御装置（図示省略）に検出結果を出力する。
【００３６】
素子保持部６５は、仕切板６８上において、負極端子３１が保持された端子保持部６３よりも内側の位置に端子保持部６３に隣接して設けられている。すなわち、本実施形態では、負極端子３１が保持される端子保持部６３と素子保持部６５との間に挿通部６４が配置されている。素子保持部６５は、仕切板６８上において、正極端子２１が保持された端子保持部６３よりも負極端子３１が保持された端子保持部６３寄りに配置されている。すなわち、素子保持部６５は、正極端子２１が保持された端子保持部６３よりも負極端子３１が保持された端子保持部６３の近くに配置されている。また、端子保持部６３は、ケース１１の蓋部１１ｂを挟んで、負極集電部３２と負極導電部材３３との接続部分Ｃ、及び負極導電部材３３の双方と対向するように配置されている。
【００３７】
これにより、素子保持部６５に保持されている温度検出素子７０は、ケース１１における蓋部１１ｂの外面側において、正極端子２１よりも負極端子３１寄りに配置されている。また、温度検出素子７０は、ケース１１の蓋部１１ｂを挟んで、接続部分Ｃ及び負極導電部材３３の双方と対向するように配置されている。なお、温度検出素子７０は、蓋部１１ｂの外面に接触していてもよいし、素子保持部６５の一面を介して蓋部１１ｂの外面上に配置されていてもよい。
【００３８】
以上説明した蓄電装置１０では、ケース１１の内圧が所定レベルを超えて上昇した際に破断する通電板４３を有する電流遮断装置８が備えられている。通電板４３を破断させるタイプの電流遮断装置８では、ケース１１の内圧の上昇時の破断容易性を確保するため、通電板４３に破断溝４３ａが設けられる場合や、通電板４３の破断予定部分が薄化されている場合がある。そのため、通電板４３の電気抵抗は、他の導電部分と比して高くなり、蓄電装置１０においては、電流遮断装置８が配置されている方の負極端子３１の近傍では、電流遮断装置８が配置されていない方の正極端子２１の近傍に比べて温度が上昇し易い、という傾向がある。蓄電装置１０では、ケース１１における蓋部１１ｂの外面側において、電流遮断装置８が配置されていない正極端子２１よりも、電流遮断装置８が配置されている負極端子３１に寄せて温度検出素子７０が配置されている。このように、温度が上昇し易い位置に温度検出素子７０を配置することで、温度上昇を適切に検知することが可能となっている。
【００３９】
また、蓄電装置１０では、ケース１１内において、負極集電部３２が負極導電部材３３を介して負極端子３１と電気的に接続されており、蓋部１１ｂを挟んで負極集電部３２と負極導電部材３３との接続部分Ｃと対向するように温度検出素子７０が配置されている。負極集電部３２と負極導電部材３３との接続部分Ｃにおいては、電気抵抗が高くなり、温度が上昇し易い傾向がある。したがって、蓋部１１ｂを挟んで接続部分Ｃと対向するように温度検出素子７０を配置することで、温度上昇を一層適切に検知することが可能となっている。
【００４０】
また、蓄電装置１０では、蓋部１１ｂを挟んで負極導電部材３３と対向するように温度検出素子７０が配置されている。上述したように、電流遮断装置８が配置されている負極端子３１の近傍、及び負極集電部３２と負極導電部材３３との接続部分Ｃにおいては、温度が上昇し易い傾向がある。そのため、負極端子３１と負極集電部３２とに接続された負極導電部材３３においても、温度が上昇し易くなる。したがって、蓋部１１ｂを挟んで負極導電部材３３と対向するように温度検出素子７０を配置することで、温度上昇をより一層適切に検知することが可能となっている。
【００４１】
また、蓄電装置１０では、ホルダ６１が、正極端子２１及び負極端子３１をそれぞれ保持する一対の端子保持部６３と、拘束ボルト５が挿通される挿通部６４と、温度検出素子７０を保持する素子保持部６５と、を有し、負極端子３１が保持される端子保持部６３と素子保持部６５との間に挿通部６４が配置されている。これにより、電流遮断装置８が配置されている負極端子３１に寄せて温度検出素子７０を配置しつつ、負極端子３１からケース１１外部の空気を介して温度検出素子７０に伝わる熱を挿通部６４によって遮ることができ、温度上昇をより一層適切に検知することが可能となっている。
【００４２】
以上、本発明の一実施形態について説明したが、本発明は、上記実施形態に限られない。例えば、図５に示される第１変形例では、挿通部６４が端子保持部６３の外側に隣接して設けられ、素子保持部６５が端子保持部６３の内側に隣接して設けられている。すなわち、第１変形例では、幅方向Ｄの内側から外側に向けて、素子保持部６５、負極端子３１が保持される端子保持部６３、挿通部６４がこの順に配置されている。このような第１変形例によっても、第１の実施形態の場合と同様に、電流遮断装置８が配置されている負極端子３１に寄せて温度検出素子７０を配置でき、温度上昇を適切に検知することが可能となる。
【００４３】
なお、第１変形例において、幅方向Ｄの外側から内側に向けて、素子保持部６５、負極端子３１が保持される端子保持部６３、挿通部６４がこの順に配置されていてもよい。この場合でも、電流遮断装置８が配置されている負極端子３１に寄せて温度検出素子７０を配置でき、温度上昇を適切に検知することが可能となる。
【００４４】
また、図６に示される第２変形例では、素子保持部６５が端子保持部６３の内側に隣接して設けられ、挿通部６４が素子保持部６５の内側に隣接して設けられている。すなわち、第２変形例では、幅方向Ｄの内側から外側に向けて、挿通部６４、素子保持部６５、負極端子３１が保持される端子保持部６３がこの順に配置されている。このような第２変形例によっても、電流遮断装置８が配置されている負極端子３１に寄せて温度検出素子７０を配置でき、温度上昇を適切に検知することが可能となる。
【００４５】
なお、第２変形例において、幅方向Ｄの外側から内側に向けて、挿通部６４、素子保持部６５、負極端子３１が保持される端子保持部６３がこの順に配置されていてもよい。この場合でも、電流遮断装置８が配置されている負極端子３１に寄せて温度検出素子７０を配置でき、温度上昇を適切に検知することが可能となる。
【００４６】
また、上記実施形態では、ケース１１の蓋部１１ｂを挟んで負極集電部３２と負極導電部材３３との接続部分Ｃ及び負極導電部材３３の双方と対向するように温度検出素子７０が配置されていたが、蓋部１１ｂを挟んで負極導電部材３３のみと対向するように温度検出素子７０が配置されてもよい。この場合にも、上記実施形態と同様に、温度が上昇し易い位置に温度検出素子７０を配置でき、温度上昇を適切に検知することが可能となる。ただし、上記実施形態のように、蓋部１１ｂを挟んで接続部分Ｃ及び負極導電部材３３の双方と対向するように温度検出素子７０が配置されている方が、温度上昇を一層適切に検知できる点で好ましい。
【００４７】
また、上記実施形態では、負極端子３１と電極組立体１２との間の通電経路Ｐ上に電流遮断装置８が配置されていたが、正極端子２１と電極組立体１２との間の通電経路上に電流遮断装置８が配置されてもよい。この場合、電流遮断装置８は、例えば、正極端子２１と正極導電部材２３との間に設けられ、正極端子２１と正極導電部材２３とを電気的に直列に接続してもよい。
【符号の説明】
【００４８】
１…蓄電モジュール、５…拘束ボルト、８…電流遮断装置、１０…蓄電装置、１１…ケース、１１ａ…本体部、１１ｂ…蓋部（一面）、１２…電極組立体、２１…正極端子（第１の電極端子）、３１…負極端子（第２の電極端子）、３２…負極集電部、３３…負極導電部材、４３…通電板、６１…ホルダ、６３…端子保持部、６４…挿通部、６５…素子保持部、７０…温度検出素子、Ｃ…接続部分、Ｐ…通電経路。
【図１】
2018010832.tif 000003
【図２】
2018010832.tif 000004
【図３】
2018010832.tif 000005
【図４】
2018010832.tif 000006
【図５】
2018010832.tif 000007
【図６】
2018010832.tif 000008